(57)【要約】デジタルメディアをユーザによく知られている環境で提示し、そのメディアおよび環境のユーザ操作を可能にするユーザインターフェース方法およびシステムが記載されている。デジタルメディアには、写真アルバムとして構成されてユーザに提示される写真の集合が含まれる。各写真アルバムは、選択された写真アルバムがどのように表示されるかを含むユーザにより決定されたプロパティを有する。例には、開いた写真アルバム中の写真、ギャラリーの壁に吊り下げられた額入りの絵の集り、それぞれの絵が関連した文章を有する絵本およびフィルムストリップとしての表示が含まれている。各写真アルバムはスライドショーとして表示されることもできる。ユーザインターフェースには、種々の動作がユーザにより選択されることのできるメニューが含まれている。写真アルバム、個々の絵およびメニューオプションのユーザ選択ならびにテキスト入力は、カーソル制御および選択キーを使用するだけで行われることが可能であり、それによってインターフェースは、とくにセットトップボックスを備えたテレビジョンのユーザには便利なものとなる。【選択図】図２
2004506349.tif 000002
【特許請求の範囲】
【請求項１】
ユーザ命令を入力デバイスから受信し、デジタルメディアをユーザに提供して、そのメディアのユーザ操作を可能にするユーザインターフェースにおいて、
ユーザにより構成可能な複数のデジタルメディア項目と、
ユーザにより選択可能な複数のメニューオプションを有するメニューと、
ユーザに提示される複数のグラフィック表現とを含んでおり、
各グラフィック表現はデジタルメディア項目のそれぞれ１つと関連しており、複数のユーザに知られている環境の１つを描写し、ユーザによって選択可能であり、
ユーザはデジタルメディア項目を構成し、アップ、ダウン、左、右および選択命令でグラフィック表現とメニューオプションとを選択できるように構成されているユーザインターフェース。
【請求項２】
各デジタルメディア項目はデジタルイメージであり、各グラフィック表現は開いた写真アルバム内に並べられた写真を描写している請求項１記載のインターフェース。
【請求項３】
各デジタルメディア項目はデジタルイメージであり、各グラフィック表現はギャラリー内に展示された額入りの絵を描写している請求項１記載のインターフェース。
【請求項４】
各デジタルメディア項目はデジタルイメージであり、各グラフィック表現はフィルムストリップ中に含まれる写真を描写している請求項１記載のインターフェース。
【請求項５】
各デジタルメディア項目はデジタルイメージであり、各グラフィック表現は絵本内の絵および関連した文章を描写している請求項１記載のインターフェース。
【請求項６】
各デジタルメディア項目はデジタルイメージであり、各グラフィック表現はスライドショー中の写真スライドを描写している請求項１記載のインターフェース。
【請求項７】
さらに、ユーザにより入力され、デジタルメディア項目のそれぞれ１つと関連した複数のテキストエントリを含んでいる請求項１記載のインターフェース。
【請求項８】
さらに、ユーザに提示され、テキストエントリをユーザ入力するためにアップ、ダウン、左、右および選択命令によりユーザによって動作可能なキーボード表示を含んでいる請求項７記載のインターフェース。
【請求項９】
各デジタルメディア項目はデジタルメディアの集合である請求項１記載のインターフェース。
【請求項１０】
各デジタルメディア項目はデジタルイメージの集合体であり、各グラフィック表現は書棚に置かれた写真アルバムを描写している請求項９記載のインターフェース。
【請求項１１】
各デジタルメディア項目はデジタルイメージの集合体であり、デジタルメディア項目と関連した各グラフィック表現のユーザ選択により、デジタルイメージの対応した集合体が複数のユーザ決定可能なフォーマットの１つで表示される請求項９記載のインターフェース。
【請求項１２】
ユーザ決定可能なフォーマットには、開いた写真アルバム内に並べられた写真としてデジタルイメージの集合体の描写が含まれている請求項１１記載のインターフェース。
【請求項１３】
ユーザ決定可能なフォーマットには、ギャラリー内に展示された額入りの絵としてデジタルイメージの集合体の描写が含まれている請求項１１記載のインターフェース。
【請求項１４】
ユーザ決定可能なフォーマットには、フィルムストリップ中の写真としてデジタルイメージの集合体の描写が含まれている請求項１１記載のインターフェース。
【請求項１５】
ユーザ決定可能なフォーマットには絵本の中に表示された絵としてデジタルイメージの集合体の描写が含まれ、各絵が関連した文章を有している請求項１１記載のインターフェース。
【請求項１６】
ユーザ決定可能なフォーマットには、スライドショーの中の写真スライドとしてデジタルイメージの集合体の描写が含まれる請求項１１記載のインターフェース。
【請求項１７】
さらに、ユーザにより入力され、デジタルメディアの集合体のそれぞれ１つと関連した複数のテキストエントリを含んでいる請求項９記載のインターフェース。
【請求項１８】
メニューオプションは、
デジタルメディアインポート操作と、
デジタルメディア構成操作と、
ユーザ情報操作と、
製品購入操作とを含んでいる請求項１記載のインターフェース。
【請求項１９】
さらに、ユーザに提示され、デジタルメディア構成操作およびユーザ情報操作と関連させてテキストをユーザ入力するためにアップ、ダウン、左、右および選択命令によりユーザによって動作可能なキーボード表示を含んでいる請求項１８記載のインターフェース。
【請求項２０】
各デジタルデータ項目はデジタルイメージであり、メニューオプションはさらにデジタルイメージ増強操作を含んでいる請求項１８記載のインターフェース。
【請求項２１】
各デジタルメディア項目はデジタルイメージであり、各グラフィック表現はスライドショーの中の写真スライドを描写し、メニューオプションはスライドショートランジションを構成するようにユーザにより選択可能なスライドショー操作を含んでいる請求項１記載のインターフェース。
【請求項２２】
スライドショートランジションには、写真スライドの連続した表示の間のユーザ構成可能なトランジション時間が含まれている請求項２１記載のインターフェース。
【請求項２３】
スライドショートランジションには、写真スライドの連続した表示の間のユーザ構成可能な視覚または聴覚効果が含まれている請求項２１記載のインターフェース。
【請求項２４】
各デジタルメディア項目はデジタルイメージであり、メニューオプションには、選択された製品に関するデジタルイメージの１つのグラフィック表示に対するユーザにより選択可能な製品購入操作が含まれている請求項１記載のインターフェース。
【請求項２５】
選択された製品は、１以上のユーザ指定受信者に送信するためにユーザにより提供されたデジタルイメージおよび関連したテキストを含む電子グリーティングカードである請求項２４記載のインターフェース。
【請求項２６】
複数のデジタルメディア項目をユーザに提示し、そのユーザによるこれらのメディア項目の操作を可能にする方法において、
複数のグラフィック表現をユーザに提示し、各グラフィック表現がユーザによって選択可能であり、デジタルメディア項目のそれぞれと関連しており、複数のユーザに知られている環境の１つを描写し、
ユーザにより選択可能な複数のメニューオプションを含んでいるメニューをユーザに提示し、
アップ、ダウン、左、右および選択命令を使用することによってユーザにグラフィック表現とメニューオプションとを選択制御させるステップを含んでいる方法。
【請求項２７】
各デジタルメディア項目はデジタルイメージであり、複数のグラフィック表現のユーザへの提示には、開いた写真アルバム内の写真の描写の提示が含まれている請求項２６記載の方法。
【請求項２８】
各デジタルメディア項目はデジタルイメージであり、複数のグラフィック表現のユーザへの提示には、ギャラリー内の額入りの絵の描写の提示が含まれている請求項２６記載の方法。
【請求項２９】
各デジタルメディア項目はデジタルイメージであり、複数のグラフィック表現のユーザへの提示には、フィルムストリップ中の写真の描写の提示が含まれている請求項２６記載の方法。
【請求項３０】
各デジタルメディア項目はデジタルイメージであり、複数のグラフィック表現のユーザへの提示には、絵本中の絵および関連した文章の描写の提示が含まれている請求項２６記載の方法。
【請求項３１】
各デジタルメディア項目はデジタルイメージであり、複数のグラフィック表現のユーザへの提示には、スライドショーの中の写真スライドの描写の提示が含まれている請求項２６記載の方法。
【請求項３２】
メニューオプションは、テキストのユーザ入力のためのキーボードのグラフィック表現の提示を含んでいる請求項２６記載の方法。
【請求項３３】
キーボードのグラフィック表現の提示には、アップ、ダウン、左、右および選択命令を使用することによるキーボードによるテキスト入力の選択制御のユーザへの提供が含まれている請求項３２記載の方法。
【請求項３４】
各デジタルメディア項目はデジタルイメージの集合体であり、複数のグラフィック表現のユーザへの提示には、書棚に置かれた写真アルバムの描写の提示が含まれる請求項２６記載の方法。
【請求項３５】
各デジタルメディア項目はデジタルイメージの集合体であり、グラフィック表現の選択制御のユーザへの提示には、デジタルイメージの集合が表示のために選択される表示選択制御のユーザへの提供が含まれ、メニューオプションには、デジタルイメージの集合体が複数のフォーマットの各々の１つで表示されるために識別されることのできる表示構成制御のユーザへの提供が含まれている請求項２６記載の方法。
【請求項３６】
ユーザへの表示構成制御の提供には、開いた写真アルバム内の写真として表示するためにデジタルイメージの集合の１以上のものをユーザに識別させることが含まれている請求項３５記載の方法。
【請求項３７】
ユーザに対する表示構成制御の提供には、ギャラリー内の額入りの絵として表示するためのデジタルイメージの集合の１以上のものをユーザに識別させることが含まれている請求項３５記載の方法。
【請求項３８】
ユーザへの表示構成制御の提供には、フィルムストリップ中の写真として表示するためのデジタルイメージの集合の１以上のものをユーザに識別させることが含まれている請求項３５記載の方法。
【請求項３９】
ユーザに対する表示構成制御の提示には、絵本中の写真および関連した文章として表示するためにデジタルイメージの集合の１以上のものをユーザに識別させることが含まれている請求項３５記載の方法。
【請求項４０】
ユーザに対する表示構成制御の提示には、スライドショーの中の写真スライドとして表示するためにデジタルイメージの集合の１以上のものをユーザに識別させることが含まれている請求項３５記載の方法。
【請求項４１】
メニューオプションは、テキストのユーザ入力のためのキーボードのグラフィック表現の提示を含んでいる請求項３５記載の方法。
【請求項４２】
キーボードのグラフィック表現の提供には、アップ、ダウン、左、右および選択命令を使用することによるキーボードによるテキスト入力の選択制御をユーザに与えることが含まれている請求項４１記載の方法。
【請求項４３】
ユーザに対するメニューの提示には、
デジタルメディアインポート操作と、
デジタルメディア構成操作と、
ユーザ情報操作と、
製品購入操作との提供が含まれている請求項２６記載の方法。
【請求項４４】
デジタルメディア構成操作の提供、またはユーザ情報操作の提供には、テキストのユーザ入力のためにキーボードのグラフィック表現の提供が含まれ、これにはアップ、ダウン、左、右および選択命令の使用によるキーボードによるテキスト入力の選択制御をユーザに与えることが含まれている請求項４３記載の方法。
【請求項４５】
各デジタルメディア項目はデジタルイメージであり、メニューのユーザへの提供には、デジタルイメージ増強操作の提示がさらに含まれている請求項４３記載の方法。
【請求項４６】
各デジタルメディア項目はデジタルイメージであり、複数のグラフィック表現のユーザへの提供にはスライドショーの中の写真スライドの描写の提供が含まれ、メニューのユーザへの提供には、スライドショートランジションを構成するようにユーザによる選択可能なスライドショー操作の提示が含まれている請求項２６記載の方法。
【請求項４７】
スライドショー操作の提供には、写真スライドの連続した表示の間におけるトランジション時間のユーザによる選択が含まれている請求項４６記載の方法。
【請求項４８】
スライドショー操作の提供には、写真スライドの連続した表示の間における視覚または聴覚効果のユーザによる選択が含まれている請求項４６記載の方法。
【請求項４９】
各デジタルメディア項目はデジタルイメージであり、ユーザに対するメニューの提示には製品購入操作の提示が含まれ、これは複数の製品の選択されたものに関するデジタルイメージの選択されたもののグラフィック表現の提供を含んでいる請求項２６記載の方法。
【請求項５０】
選択された製品は、１以上のユーザ指定受信者に送信するためにユーザにより提供された選択されたデジタルイメージおよび関連したテキストを含む電子グリーティングカードである請求項４９記載の方法。
【発明の詳細な説明】
【０００１】
【発明の属する技術分野】
本発明は一般にデジタルメディアを提示する方法およびシステムに関し、とくに、パーソナルコンピュータを使用する人物にインターネットによって、あるいはセットトップボックスを備えたテレビジョンを使用する人物にテレビジョンネットワークによってデジタルメディアを提供する方法およびシステムに関する。
【０００２】
【従来の技術】
パーソナルコンピュータの出現ならびにインターネットおよびワールドワイドウェブのような世界規模のネットワークへのアクセスの結果、個々のユーザは多種多様なデジタルメディアにアクセスするようになった。このメディアはまたセットトップボックスを備えたテレビジョンを使用する人々が利用できるようになっている。インターネットおよびワールドワイドウェブによってデジタルメディアにアクセスを行う種々のユーザインターフェースが存在している。しかしながら、これらのインターフェースは、コンピュータ、コンピュータテクノロジーおよびコンピュータ操作にかなり精通したユーザだけに依存している。コンピュータおよびセットトップボックス付きテレビジョンに不慣れなユーザは、高度なコンピュータに対する熟練性を要するインターフェースの使用が困難である可能性が高い。とくに、セットトップボックスを使用する者は一般に、パーソナルコンピュータで典型的に利用可能なキーボードやマウスではなく、通常のテレビジョンの制御装置に依存しなければならない。
【０００３】
【発明が解決しようとする課題】
したがって、デジタルメディアを提供する今日のユーザインターフェースは、コンピュータまたはセットトップボックス付きのテレビジョンに不慣れなユーザにはあまり利用し易いものではない。コンピュータに不慣れなユーザおよびとくにセットトップボックス付きのテレビジョンに不慣れなユーザの両者のためにデジタルメディアを使用し易くし、提供するようにさらに改善することが必要とされている。
【０００４】
【課題を解決するための手段】
本発明によると、写真のようなデジタルメディアへのユーザインターフェースを提供する方法およびシステムが開示される。ユーザインターフェースは、写真アルバム、本、フィルムストリップ、壁上の額入り芸術作品のようなメディアが一般に見られる現実的な環境のグラフィック表現を使用してデジタルメディアを提供する。本発明はまた、ユーザが提示されたデジタルメディアの構成要素を選択し、編集し、配列するためにカーソル方向制御および選択のようなユーザ入力が最小数しか必要とされないユーザインターフェースを開示している。
【０００５】
本発明の１つの特徴にしたがって、ユーザインターフェースが提供される。このインターフェースはデジタルメディアの集合体をユーザに提示し、その集合はユーザにより選択されたフォーマットで提示され、そのユーザによって決定された構成およびプロパティを有する。デジタルメディアの集合体には写真が含まれてもよく、その集合は写真アルバムとして提示される。写真アルバムの内容の提示はユーザによって決定されることができ、アルバム、絵画のギャラリー、絵および関連した文章を有する絵本、フィルムストリップまたはスライドショーとしての提示を含むことができる。集合中の個々の写真の選択は、ユーザがカーソル制御および選択キーを動作させることによって達成されることができる。インターフェースはまた、カーソル制御および選択キーを使用することによって操作が選択されることのできるメニューを含んでいる。このような操作により、ユーザはデジタルメディアの集合を生成し、編集し、配列し、関連したプロパティを設定し、メディアおよびユーザに関するテキストを入力し、そのメディアを観察し、そのメディアを含む製品を購入することが可能となる。
【０００６】
【発明の実施の形態】
上述した本発明の特徴および付随する多数の利点は、以下の詳細な説明および添付図面を参照とすることによりさらによく理解され、それによって容易に認識されるであろう。
本発明の実施形態によると、インターネットおよびパーソナルコンピュータによって、あるいはテレビジョンネットワーク（たとえば、ケーブル、衛星、ＤＳＬおよびその他のテレビジョンネットワーク）およびセットトップボックスを備えたテレビジョンによってデジタルメディアを与えるためのユーザインターフェースが提供される。以下の説明において、本発明の種々の実施形態を完全に理解させるためにある特定の構成の詳細が記載されている。しかしながら、当業者は、本発明がこれらの詳細を使用せずに実施されることが可能なことを認識するであろう。本発明の種々の実施形態の説明を不必要にわかりにくくすることを避けるために、その他の例においては、よく知られている機能、特徴、および操作は図示されておらず、詳細に説明されていない。
【０００７】
図１は、本発明の１実施形態によるシステム１００ を示す概略図である。システム１００ は、ケーブルテレビジョンオペレータによってセットトップボックスを備えたテレビジョン１０４ に、あるいはインターネットによってパーソナルコンピュータ１０６ にネットワークされたサーバ１０２ を含んでいる。サーバ１０２ はまた、写真現像サービス１０８ のようなデジタルメディアプロバイダとインターネットによってネットワークされている。サーバ１０２ はさらに、セットトップボックスを備えたテレビジョン１０４ またはパーソナルコンピュータ１０６ のユーザに対する販売のために製品プロバイダ１１０ とネットワークされている。
【０００８】
写真画像のようなデジタルメディアは、ユーザ自身または第３のパーティである写真現像サービス１０８ のいずれによってサーバ１０２ にアップロードされることができる。たとえば、セットトップボックスを備えたテレビジョンは、デジタルカメラ１１２ に、あるいはスキャナのようなデジタル写真情報を提供する別の手段に接続されることができる。同様に、パーソナルコンピュータ１０６ のユーザは、デジタルカメラ１１４ またはスキャナ１１６ を使用することによってデジタル写真情報をサーバ１０２ に提供することができる。同様に、第３のパーティの写真現像サービス１０８ はインターネットによってサーバ１０２ に提供するためにスキャナ１１８ または別のデジタル写真情報ソースを使用することができる。
【０００９】
当業者によって理解されるように、サーバ１０２ はセットトップボックス１０４ またはパーソナルコンピュータ１０６ のユーザへのインターフェース１２０ を含んでおり、そのインターフェースは、種々のユーザインターフェース構成および環境プロパティ１２６ ならびにウェブページまたは別のスクリプトソース１２８ を提供するトランスレータ１２２ およびサーブレット１２４ を含んでいる。サーバ１０２ はまた製品プロバイダ１１０ に対するインターフェース１３０ を含んでいる。
【００１０】
サーバ１０２ はまたイメージハンドラ、イメージプロセッサ、イメージキャッシュおよびキャッシュマネジャのようなデジタルメディア処理および管理機能１３２ と、インターフェース１２０ を介してユーザに写真イメージを提供するイメージプロバイダ１３４ とを含んでいる。同様に、サーバ１０２ は、製品プロバイダ１１０ に関する製品情報を受信して中継するだけでなくユーザからの製品リクエストを処理する製品プロバイダおよびハンドラ機能１３６ および１３８ ならびに別のオブジェクトプロバイダおよびハンドラ機能１４０ および１４２ とを含んでいる。最後に、サーバ１０２ はセットトップボックス１０４ またはパーソナルコンピュータ１０６ のユーザからのメディアまたは製品リクエストを中継して翻訳するリクエストディスパッチャ１４４ を含んでいる。
【００１１】
図２を参照とすると、写真メディアのようなデジタルメディアをよく知られている環境設定でユーザに表示するユーザインターフェーススクリーン２００ が示されている。この場合、ユーザインターフェース２００ はデジタル写真の集合体を書棚２１２ 上に表示されている複数の写真アルバム２０２ 、２０４ 、２０６ 、２０８ および２１０ の形態で示している。写真アルバムの中の現在強調されているもの（すなわち、写真アルバム２０２ ）は光源２１４ により照明されているものとして示されており、テキスト領域２１６ には以前にユーザにより与えられて現在強調されている写真アルバムに付けられたタイトルが含まれている。
【００１２】
ユーザは、一般にテレビジョンの遠隔制御装置またはキーボード上に見出される左および右カーソル制御ボタンの使用によって選択を行い、写真アルバムの異なるものを強調することができる。その代り、パーソナルコンピュータのユーザはコンピュータキーボードカーソル制御またはマウスあるいはその他のポインティングデバイスを使用することによりある写真アルバムを強調することができる。一度強調が行われると、ユーザは、一般にテレビジョンの遠隔制御装置上に見出されるカーソル制御ボタンに関連した選択（またはＯＫあるいは入力もしくは等価なもの）ボタンを使用することによって写真アルバムを見るために選択することができる。その代りに、パーソナルコンピュータのユーザは、たとえばキーボード上の入力キーまたはマウス上の選択ボタンを使用することができる。
【００１３】
インターフェーススクリーン２００ はまた、アイコンとして示されている６つのメニューオプション、すなわちアルバムメニューオプション２２０ 、写真メニューオプション２２２ 、スライドショーメニューオプション２２４ 、ユーザプロフィールメニューオプション２２６ 、ショッピングカートメニューオプション２２８ 、ならびに出口またはサインオフメニューオプション２３０ を有する主メニューバー２１８ を含んでいる。以下詳細に説明するように、これらのメニュー表示アイコン２２０−２３０ のそれぞれの強調および選択は、ユーザがこれらのメニューのそれぞれに関連した操作セットにアクセスすることを可能にする。ユーザは、一般にテレビジョンの遠隔制御装置またはキーボード上に見出されるアップおよびダウンカーソル制御ボタン／キーを使用することにより写真アルバム２０２−２１０ とメニューバー２１８ との間を移動することができる。ユーザはメニューバー２１８ に移ると、左右のカーソル制御ボタン／キーを使用することによりメニューアイコン２２０−２３０ の別々のものを強調することができる。強調されると、ユーザは選択ボタン／キー（または等価なもの）の使用により対応したメニューオプションを選択することができる。パーソナルコンピュータのユーザは、当業者により認識されているように、コンピュータキーボードまたはマウスあるいはその他のポインティングデバイスにより同様の強調および選択機能を行なうことができる。
【００１４】
図３乃至６は、図２の写真アルバム２０２−２１０ 中に含まれる写真の種々の提示を示している。各写真アルバムは、ユーザが前にその写真アルバムを生成したときに決定した関連した表示提示形式を有している。たとえば、写真アルバム２０２ のユーザ選択の結果は、図３に示されているギャラリー表示スクリーン２４０ 中で得られ、それは写真アルバム２０２ 内に含まれる写真をギャラリーの壁上の額入りの絵画として表示する。写真のうちここで強調されているもの２４２ は光源２４４ により照明されているものとして示され、ギャラリー表示スクリーン２４０ のテキスト領域２４６ には、追加の写真が見られることをユーザに知らせる方向指示器２４８ と共に、その強調された写真に対してユーザにより以前付けられたタイトルが含まれている。
【００１５】
メニューバー２１８ はギャラリー表示スクリーン２４０ でも表示され、ユーザは、上述されたカーソル制御または選択ボタンを使用することにより写真の別のものまたは別のメニューオプションを選んで強調および選択することができる。ギャラリー表示スクリーン２４０ 上の写真の選択は、その写真のフルスクリーンイメージを示す等によって、その写真をもっとよく見るために使用されることができる。
【００１６】
図２の写真アルバム２０４ のユーザ選択の結果、図４に示されているアルバム表示スクリーン２５０ が得られ、それは写真を開いたアルバムの中の写真として表示する。ここで強調されている写真２５２ は照明されたフレーム２５４ によって示されており、アルバム表示スクリーン２５０ のテキスト領域２５６ には、追加のアルバムページの写真を見ることができることをユーザに知らせる方向指示器２５８ と共に、その強調された写真に対してユーザにより以前付けられたタイトルが含まれている。
【００１７】
メニューバー２１８ はアルバム表示スクリーン２５０ 中にも表示され、ユーザは、上述されたカーソル制御または選択ボタンを使用することにより写真の別のもの（アルバムページをめくることを含む）または異なったメニューオプションを選んで強調および選択することができる。アルバム表示スクリーン２５０ 上の写真の選択は、その写真のフルスクリーンイメージを示す等によって、その写真をもっとよく見るために使用されることができる。
【００１８】
図２の写真アルバム２０６ のユーザ選択の結果、図５に示されている絵本表示スクリーン２６０ が得られ、それは各写真をテキストと共に絵本フォーマットで表示する。現在表示されている写真２６２ は、ユーザによって前に入力された関連したテキスト２６４ と共に示されている。絵本表示スクリーン２６０ のテキスト領域２６６ には、絵本の別のページを見てもよいことをユーザに知らせる方向指示器２６８ と共に、現在表示されている写真に対してユーザにより以前付けられたタイトルが含まれている。
【００１９】
メニューバー２１８ は絵本表示スクリーン２６０ 中にも表示され、ユーザは上述のカーソル制御ボタンの使用によって、別の写真および関連したテキストを表示する（すなわち、その絵本のページをめくる）か、あるいは別のメニューオプションを選んで強調および選択することができる。絵本表示スクリーン２６０ 上の写真の選択は、その写真のフルスクリーンイメージを示す等によってその写真をもっとよく見るために使用されることができる。
【００２０】
図２の写真アルバム２０８ のユーザ選択の結果、図６に示されているフィルムストリップ表示スクリーン２７０ が得られ、それはフィルムストリップ中の写真をイメージとして表示する。現在強調されている１つの写真２７２ は照明されたフレーム２７４ によって示されている。テキスト領域（図６には示されていない）がアルバム表示スクリーン２７０ 上に示されてもよく、その強調されている写真に対してユーザにより前に与えられたタイトルを含んでいてもよい。方向指示器２７８ は追加の写真を見ることができることをユーザに知らせる。
【００２１】
図６には示されていないが、メニューバー２１８ （図２乃至５を参照）がフィルムストリップ表示スクリーン２７０ 中にも表示されてもよく、ユーザは上述のカーソル制御および選択ボタンの使用によって別の写真または別のメニューオプションを選んで強調および選択することができる。フィルムストリップ表示スクリーン２７０ 上の写真の選択は、その写真のフルスクリーンイメージを示す等によってその写真をもっとよく見るために使用されることができる。
【００２２】
図７を参照すると、主メニューバー２１８ に対応する主メニュー２７８ が、メニュー表示アイコン２２０−２３０ にそれぞれ対応するユーザ選択可能なメニュー２８０−２９０ と共にフロー図で示されている。図８を参照すると、図２のユーザインターフェーススクリーン２００ が示されているが、アルバムメニューオプション２２０ が強調され（照明されているアイコンの輪郭２９２ に注意されたい）、テキスト領域２１６ はアルバムメニューオプションの選択時に利用可能な操作に関する情報を含んでいる。したがって、アルバムメニューオプション２２０ のユーザ選択によって、アルバムメニュー２８０ に関連した操作セットがユーザに表示される。
【００２３】
図９は、アルバムメニュー２８０ を選択したときにユーザが利用できる操作セットを示すフロー図である。当業者は、これらの操作が図８との関連で上述した主メニューツールバー２１８ のような選択可能なツールバー（示されていない）としてユーザに与えられてもよいことを認識するであろう。操作にはアルバムを見る操作２９４ 、アルバム管理操作２９６ 、ユーザを主メニュー２７８ に戻す出口操作２９８ が含まれる。その後アルバム管理操作２９６ のユーザ選択により、新しいアルバムを生成する操作３００ 、アルバムを編集する操作３０２ 、アルバムをコピーする操作３０４ 、アルバムを移動する操作３０６ 、アルバムを削除する操作３０８ がユーザに示される。これらのアルバム管理操作は同様に、選択可能なツールバー（示されていない）としてユーザに示されてもよい。
【００２４】
その後、アルバム生成操作３００ または編集操作３０２ のいずれかの選択により、テキスト情報（アルバム名または説明のような）を入力し、アルバムカテゴリーまたはテーマを識別し、経年報告（ａｄｖｉｓｏｒｙ）レベルならびに別のユーザの指定されたコンタクトまたはグループと共用される観察オプションとを指定する能力がユーザに提供される。
【００２５】
図１０は、スライドショーメニュー２８４ の選択時にユーザが利用できるメニュー操作セットを示すフロー図である。当業者は、これらの操作が図８との関連で上述した主メニューツールバー２１８ のような選択可能なツールバーとしてユーザに示されてもよいことを認識するであろう。操作にはスライドショーの観察操作３１０ 、スライドショー管理操作３１２ 、およびユーザを主メニュー２７８ に戻す出口操作３１４ が含まれる。その後スライドショー管理操作３１２ のユーザ選択により、スライドショー制御操作３１６ （再生、一時停止および停止動作のような）、スライドショースタートアップ操作３１８ 、ならびにユーザがスライドショー中で表示される写真の間のトランジションのタイプ（視覚または聴覚効果のような）を設定することのできるスライドショートランジション操作３２０ がユーザに示される。これらのスライドショー管理操作は同様に、選択可能なツールバー（示されていない）としてユーザに与えられてもよい。
【００２６】
図１１は各写真が全スクリーンを占有している１つのタイプのスライドショー表示スクリーン３３０ を示しており、そのスライドショーはユーザによってあるいはカーソル制御ボタンによるユーザアクションによって前に設定された時間インターバルで、写真間を移行してもよい。図１２はテキスト領域３４２ を含む別のタイプのスライドショー表示スクリーン３４０ を示しており、このテキスト領域３４２ には追加の写真を自由に見ることができることをユーザに知らせる方向指示器３４４ と共に、ユーザによって表示された写真に付けられたタイトルが含まれる。スライドショー表示スクリーン３４０ はまた設定時間インターバルで、あるいはカーソル制御ボタンによるユーザアクションに応答して写真間を移行してもよい。スライドショー表示スクリーン３４０ はまた、ユーザが上述のカーソル制御および選択ボタンを使用することにより別のメニューオプションを強調して選択することのできる主メニューバー２１８ も含んでいる。図２に示されている各写真アルバム２０２−２１０ は、ユーザが所望の写真アルバムを最初に強調し、次に主メニューツールバー２１８ 中のスライドショーメニューアイコン２２４ を選択することによってスライドショーとして表示されることができる。
【００２７】
図１３は、ユーザプロファイルメニュー２８６ を選択したときにユーザが利用できる操作セットを示すフロー図である。操作には、ユーザが名前、ｅメールアドレスおよびパスワード情報を設定することのできるユーザ情報操作３４６ が含まれている。メールアドレスおよび請求書作成情報を設定するためにアドレスおよび請求書作成操作３４８ および３５０ がユーザにそれぞれ示される。別のユーザを含むコンタクトまたはグループを追加または削除するためにコンタクトおよびグループ操作３５２ および３５４ がユーザにそれぞれ示される。最後に、ユーザを主メニュー２７８ に戻す出口操作３５６ が示される。
【００２８】
図１４は、主メニューツールバー２１８ （図２参照）からプロファイルメニューアイコン２２６ を選択したときにユーザに提示されるプロファイルツールバー３６０ を示している。現在強調されているアイコン（照明されているアイコンの輪郭３６４ に注意されたい）を選択したときに利用できる操作に関する情報を含むテキスト領域３６２ もまた含まれている。プロファイルツールバー３６０ は５個の操作オプションアイコンを有しており、そのユーザ選択によって図１３と関連して上述された対応した操作、すなわちユーザ情報アイコン３６６ 、アドレスおよび請求書作成の各アイコン３６８ および３７０ 、コンタクトおよびグループアイコン３７２ 、ならびに出口アイコン３７６ が開始される。
【００２９】
いくつかの例で上述したように、ユーザは、個々の写真およびアルバムの記述か、写真絵本に対する文章か、あるいはユーザプロファイル情報であるか等にかかわらずテキスト情報を入力する機会を与えられる。パーソナルコンピュータのユーザの場合、このようなテキスト情報はコンピュータキーボードによって容易に入力される。しかしながら、セットトップボックスを備えたテレビジョンのユーザは典型的に、テキスト入力キーのない通常のテレビジョンの制御装置しか持っていない。
【００３０】
図１５は、テキスト入力が必要とされた（あるいは所望された）場合にユーザに与えられるキーボードテキスト表示３８０ を示している。キーボードテキスト表示３８０ には、入力されるべきテキスト情報のタイプを識別するカテゴリー領域３８２ が含まれている。示されている例では、ユーザは、ユーザプロファイルメニュー２８６ 中のユーザ情報操作３４６ （図１３を参照）中にテキスト情報を提供するような場合に名前の入力を促される。キーボードテキスト表示３８０ には、入力されたテキストが表示されるテキスト領域３８４ が含まれている。テキスト文字を入力するためのキーボード領域３８６ がユーザに示され、ユーザはテレビジョンの遠隔カーソル制御（たとえば、左および右）および選択ボタンを使用することによってキーボード領域内の個々のキーを強調して選択する。テキスト領域３８４ 内のテキスト入力点の動きは、それ自身がキーボード領域３８６ の一部分として示されているカーソル制御キー３８８ によって制御される。最後に、ユーザは保存または取消ボタン３９０ または３９２ をそれぞれ選択することによってテキスト領域３８４ 中に入力された全テキストを保存するか、あるいは取消すかを決定することができ、これらのボタンとキーボード領域３８６ との間の移動はテレビジョンの遠隔カーソル制御（たとえば、アップおよびダウン）の使用によって行われる。
【００３１】
図１６は、ユーザが写真メニュー２８２ を選択したときに利用できる操作セットを示すフロー図である。当業者は、これらの操作が図８との関連で上述された主メニューツールバー２１８ のような選択可能なツールバー（示されていない）としてユーザに提示されてもよいことを認識するであろう。操作には、写真観察操作３９４ 、写真管理操作３９６ 、写真増強操作３９８ 、およびユーザを主メニュー２７８ に戻す出口操作４００ が含まれる。その後写真管理操作３９６ のユーザ選択により、写真をインポートまたはアップロードする操作４０２ 、写真を編集する操作４０４ （記述的なテキスト情報がユーザによって入力されることができる）、写真をコピーする操作４０６ 、写真を移動する操作４０８ 、写真を削除する操作４１０ 、ならびに写真をエクスポートする操作４１２ がユーザに示される。写真増強操作３９８ のユーザ選択により、写真を最適化する操作４１４ 、写真を回転する操作４１６ 、写真をクロッピングする操作４１８ 、およびレッドアイを減少させる操作４２０ がユーザに示される。写真管理および増強操作は同様に、選択可能なツールバー（示されていない）としてユーザに示されてもよい。
【００３２】
図１７は１つのタイプの写真最適化表示４３０ を示しており、それにおいてユーザは写真４３２ およびその増強バージョン４３４ を比較のために与えられる。増強処理は自動的に行われ、ユーザが結果的に得られた増強されたイメージを保存するか、あるいは取消すかを保存ボタン４３８ または取消ボタン４４０ で選択する。示されている例では、保存ボタン４３８ が現在強調されており（照明されているアイコンの輪郭ン４４２ に注意されたい）、テキスト領域４４４ は保存ボタンの選択に関連した操作の記述を含んでいる。第２のタイプの写真最適化表示（以下において説明する）は開始ボタン４３６ のユーザ選択に応答して利用可能になる。
【００３３】
図１８は第２のタイプの写真最適化表示４５０ を示しており、それにおいてユーザは写真４５２ およびその増強バージョン４５４ を比較のために与えられる。この場合、ユーザは劣化ボタン４５６ を選択するか、あるいは増強された写真がよくなるだろうとユーザが思っている程度を示す複数の定量的に改善するボタン４５８ の１つを選択することによりその２つのイメージの比較を定量的に評価することができる。示されている例では、定量的に改善するボタン４５８ の１つが強調されており（照明されているアイコンの輪郭４６０ に注意されたい）、テキスト領域４６２ には強調されたボタンの選択時にユーザにより行われる定量的判断の記述が含まれる。ユーザは復帰ボタン４６２ によって最適化操作の前に戻ることができ、増強されたイメージを保存すべきか、あるいは取消すべきかを保存ボタン４６４ および取消ボタン４６６ によって決定することができる。
【００３４】
写真増強操作は、この明細書において参考文献とされている国際特許出願 ＰＣＴ／ＵＳ９９／２８６７６ に記載されている方法およびシステムにしたがって行われることができる。
【００３５】
図１９はショッピングカートメニュー２８８ を選択したときにユーザが利用できる操作セットを示すフロー図である。当業者は、これらの操作が図８との関連で上述した主メニューツールバー２１８ のような選択可能なツールバー（示されていない）としてユーザに示されてもよいことを認識するであろう。操作にはカート観察操作４６８ と、およびユーザを主メニュー２７８ に戻す出口操作４７０ とが含まれている。その後、カート観察操作４６８ のユーザ選択によって、アイテムをカートに追加する操作４７２ 、カート中のアイテムを修正する操作４７４ 、カート中のあるアイテムを除去する操作４７６ 、カートから全てのアイテムを除去する操作４７８ 、および会計操作４８０ がユーザに示される。
【００３６】
図２０は、アイテムをカートに追加する操作４７２ をユーザが選択したときにそのユーザに提示されることのできる製品販売促進スクリーン４９０ を示している。この表示では、特定の製品（この例では、カップとエプロン）の販売が促進されている。表示４９０ には、可能性のある買物として種々の製品を検討するためにユーザが選択することのできる製品アイコン４９２ が含まれている。表示４９０ には、カート観察操作４６８ 、会計操作４８０ および出口操作４７０ のようなのようなショッピングカートメニュー２８８ に関連した操作アイコン４９４ も含まれている。
【００３７】
図２１は、製品アイコン４９２ の強調されたものに対応した特定の製品、すなわち、写真イメージ５０４ を含むワイシャツ５０２ が表示された製品表示スクリーン５００ を示している。ユーザは最初に所望の写真を強調し、次にショッピングカートメニューアイコン２２８ を主メニューツールバー２１８ （図２乃至６参照）から選択することによってどの写真が製品について表示されるかを決定する。製品アイコン４９２ はそのユーザの地理的エリア内におけるベンダーによる製品提供あるいは別のベンダー基準に応じて変化する可能性がある。したがって、提示される製品アイコン４９２ はユーザプロファイル情報および対応した製品利用度に依存する可能性がある。
【００３８】
製品表示スクリーン５００ は、ユーザに対して行われるこのような製品の販売促進をもっと現実的で改善されたものにするために、実際の製品が選択された写真イメージを付加された状態でどのように見えるかの描写を含んでいることが重要である。製品表示スクリーン５００ はまた、製品の記述を有するテキスト領域５０６ と、注文された製品のタイプおよび量を示す注文情報領域５０８ とを含んでいる。操作アイコン５１０ はまた注文の保存または取消しのために、あるいは描写された強調されているアイコンおよび関連したテキストがユーザを促して写真イメージ５０４ 付きのカードを注文させる等、別の製品購入を促すためにユーザに表示される。その後、このようなカードはユーザにより指定された受信者にｅメール等によってユーザにより入力されたテキストと共に電子的に送信される。最後に、図２２は、製品のタイプ、量および購入情報がユーザに示されるカート内容の表示５２０ を示している。
【００３９】
本発明の実施形態が図示され、説明されてきたが、本発明の技術的範囲を逸脱することなく種々の変更が可能であることが認識されるであろう。絵入りカレンダー表示のような写真イメージの別のよく知られている表現が使用可能である。上述された特定の実施形態はデジタルイメージに関するものであるが、当業者は、本発明が他のデジタルメディアに対しても同様に適応可能なことを認識するであろう。たとえばデジタル音楽メディアの集合体はジュークボックス内のアルバムまたはコンパクトディスクとして描写されることが可能であり、あるいは音楽ジャンル、アーティスト索引およびアルバムまたは曲名索引として選択可能な領域を有するラジオチューナとして描かれることができる。別の例として、デジタルメディアはストリーミングビデオコンテンツであることが可能であり、そのストリーミングビデオコンテンツの選択可能な表現としてビデオテープボックスまたはフィルムスチールのグラフィック表現が使用される。以上、本発明は添付された請求の範囲を除いて何等制限されるものではない。
【図面の簡単な説明】
【図１】
本発明の１実施形態によるシステム構成素子の概要を示すブロック図。
【図２】
写真アルバムとしての写真デジタルメディアの集合体と、このようなメディアを管理するユーザ選択可能なメニューオプションとを示している、ユーザに示される本発明の１実施形態によるインターフェーススクリーン画像図。
【図３】
図２に示されている対応した写真アルバム中に含まれる写真の表示の別の実施形態を示すインターフェーススクリーン画像図。
【図４】
図２に示されている対応した写真アルバム中に含まれる写真の表示の別の実施形態を示すインターフェーススクリーン画像図。
【図５】
図２に示されている対応した写真アルバム中に含まれる写真の表示の別の実施形態を示すインターフェーススクリーン画像図。
【図６】
図２に示されている対応した写真アルバム中に含まれる写真の表示の別の実施形態を示すインターフェーススクリーン画像図。
【図７】
図２のインターフェースにより提供された、ユーザが利用可能なメニューオプションを示すフロー図。
【図８】
第１のメニューオプションが強調されている図２のインターフェースのインターフェースを示した図。
【図９】
図８中の強調されたメニューオプションを選択したときにユーザが利用できる第１のメニュー操作セットを示すフロー図。
【図１０】
図２のインターフェース中の第２のメニューオプションを選択したときにユーザが利用できる第２のメニュー操作セットを示すフロー図。
【図１１】
図１０のメニューオプションから行われたユーザ選択によるスライドショー表示の画像を示す図。
【図１２】
図１０のメニューオプションから行われたユーザ選択による別のスライドショー表示の画像を示す図。
【図１３】
図２のインターフェース中の第３のメニューオプションを選択したときにユーザが利用できる第３のメニュー操作セットを示すフロー図。
【図１４】
図１３の第３のメニュー操作セットのユーザに示されるメニューバー画像。
【図１５】
テキスト情報の入力のためにユーザに与えられるスクリーン表示されたキーボードの画像図。
【図１６】
図２のインターフェース中の第４のメニューオプションを選択したときにユーザが利用できる第４のメニュー操作セットを示すフロー図。
【図１７】
図１６の第４のメニュー操作セットのユーザが利用できる写真強調手順を示す画像図。
【図１８】
図１６の第４のメニュー操作セットのユーザが利用できる写真強調手順を示す画像図。
【図１９】
図２のインターフェース中の第５のメニューオプションを選択したときにユーザが利用できる第５のメニュー操作セットを示すフロー図。
【図２０】
図１９の第５のメニュー操作セットのユーザに示されるユーザインターフェーススクリーン画像図。
【図２１】
図１９の第５のメニュー操作セットのユーザに示されるユーザインターフェーススクリーン画像図。
【図２２】
図１９の第５のメニュー操作セットのユーザに示されるユーザインターフェーススクリーン画像図。
【図１】
2004506349.tif 000003
【図２】
2004506349.tif 000004
【図３】
2004506349.tif 000005
【図４】
2004506349.tif 000006
【図５】
2004506349.tif 000007
【図６】
2004506349.tif 000008
【図７】
2004506349.tif 000009
【図８】
2004506349.tif 000010
【図９】
2004506349.tif 000011
【図１０】
2004506349.tif 000012
【図１１】
2004506349.tif 000013
【図１２】
2004506349.tif 000014
【図１３】
2004506349.tif 000015
【図１４】
2004506349.tif 000016
【図１５】
2004506349.tif 000017
【図１６】
2004506349.tif 000018
【図１７】
2004506349.tif 000019
【図１８】
2004506349.tif 000020
【図１９】
2004506349.tif 000021
【図２０】
2004506349.tif 000022
【図２１】
2004506349.tif 000023
【図２２】
2004506349.tif 000024
【国際公開パンフレット】
2004506349.tif 000025
2004506349.tif 000026
2004506349.tif 000027
2004506349.tif 000028
2004506349.tif 000029
2004506349.tif 000030
2004506349.tif 000031
2004506349.tif 000032
2004506349.tif 000033
2004506349.tif 000034
2004506349.tif 000035
2004506349.tif 000036
2004506349.tif 000037
2004506349.tif 000038
2004506349.tif 000039
2004506349.tif 000040
2004506349.tif 000041
2004506349.tif 000042
2004506349.tif 000043
2004506349.tif 000044
2004506349.tif 000045
2004506349.tif 000046
2004506349.tif 000047
2004506349.tif 000048
2004506349.tif 000049
2004506349.tif 000050
2004506349.tif 000051
2004506349.tif 000052
2004506349.tif 000053
2004506349.tif 000054
2004506349.tif 000055
2004506349.tif 000056
2004506349.tif 000057
2004506349.tif 000058
2004506349.tif 000059
【国際公開パンフレット（コレクトバージョン）】
2004506349.tif 000060
2004506349.tif 000061
【国際調査報告】
2004506349.tif 000062
2004506349.tif 000063
2004506349.tif 000064